(57)【特許請求の範囲】
【請求項１】
表示装置と入力装置とを有し、表示装置に選択可能な項目をメニュー形式の画面で一覧表示し、入力装置への操作入力で選択される項目に応じた動作を行うメニュー機能付電子機器において、
表示装置に表示する項目の数を予め定める数以下に制限する表示項目制限手段と、
メニュー形式で選択の対象となる全項目を複数段階で階層化し、少なくとも一つの段階の階層では該階層に属する項目を複数の画面に分割し、各画面では該画面に属する項目、および他の画面に遷移するための項目を、該他の画面に遷移するための項目を前記画面に属する項目の右側および左側の位置に配置して、表示項目制限手段によって制限される項目の数の範囲内で表示装置に表示するように制御するメニュー表示制御手段とを含むことを特徴とするメニュー機能付電子機器。
【請求項２】
前記メニュー表示制御手段は、前記少なくとも一つの階層に属する項目を、該項目によって表される動作の関連性に応じて前記複数の画面に分割し、前記他の画面に遷移するための項目として、該動作の関連性に対応する表示を行うように制御することを特徴とする請求項１記載のメニュー機能を備える電子機器。
【請求項３】
前記メニュー表示制御手段は、前記階層に属する複数の画面のうちの少なくとも一つの画面に、予め定める階層に遷移するための項目を表示するように制御することを特徴とする請求項１または２記載のメニュー機能を備える電子機器。
【請求項４】
携帯電話機器としての機能をさらに備えることを特徴とする請求項１〜３のいずれかに記載のメニュー機能を備える電子機器。
【請求項５】
コンピュータを請求項１〜４のいずれかに記載のメニュー機能を備える電子機器として動作させるプログラム。
【請求項６】
コンピュータを請求項１〜４のいずれかに記載のメニュー機能を備える電子機器として動作させるプログラムを記録したコンピュータ読取り可能な記録媒体。
【発明の詳細な説明】
【０００１】
【発明の属する技術分野】
本発明は、たとえば携帯電話機器など、メニュー形式で複数の機能などを選択することができるメニュー機能を備える電子機器に関する。
【０００２】
【従来の技術】
従来から、多くの機能を備える電子機器では、メニュー形式で機能を選択するためのＧＵＩ（Graphical User Interface）を備えることが多い。メニュー形式では、電子機器に備えられている機能が表示されるので、電子機器のユーザは、全部の機能を覚えていなくても必要な機能を選択して使用することができる。パーソナルコンピュータやＰＤＡ（Personal Digital Assistant）などの汎用の情報処理機器では、インストールして動作させるアプリケーションプログラムが、それぞれメニュー形式でコマンドなどを選択する機能を提供している。今日では、いわゆる家庭電化用の機器も、マイクロコンピュータを搭載して多機能化され、メニュー形式で機能を選択可能になっている。
【０００３】
図８および図９は、従来からの携帯電話機器で、メニュー形式による機能選択用の画面表示を行っている状態を示す。携帯電話機器は、携帯性を良好にするために筐体の大きさが制限され、筐体に設ける表示装置の大きさや、入力装置の大きさや操作可能部分の数などにも制限がある。表示画面１は、液晶表示装置（ＬＣＤ）などが用いられ、選択可能な各種の機能２をリスト形式で一覧表示する。機能２に対応して、その機能を選択するために操作する選択キーの割当て３も表示される。図８では、「＊」、「＄」または「＃」のうちのいずれかのキーを操作すると、「ライブラリ」、「着信履歴」または「ノートパッドメモリ」のうちのいずれかの機能が選択される。「０」、「１」、「２」、「３」、「４」、「５」、「６」、「７」または「８」の数字キーのうちからいずれかを操作すると、「自局電話番号」、「インターネット」、「管理機能」、「表示設定１」、「表示設定２」、「時計／アラーム機能」、「時間／料金機能」、「付加サービス」または「音関連機能」のうちのいずれかの機能が選択される。
【０００４】
一般的な携帯電話機器では、１つの表示画面１に表示可能な数よりも多くの機能２を備えている。また、各機能２に対応付け可能な選択キー割当て３の種類も限られている。このため、メニュー形式の表示対象となる機能２は多段階で階層化されている。このように、従来の一般的な携帯電話機器のメニュー機能は、階層構造で機能を選択する。たとえば、「０」の数字キーを押す操作を行うと、「自局電話番号」が表示される。「自局電話番号」は一般に１種類のデータなので、一操作で表示することができる。着信音量の設定などを行う場合は、通常、図９に示す「音関連機能」を数字キーの「８」によって選択して行う。図示を省略しているけれども、「音関連機能」にはさらに複数の機能が含まれ、その１つとして「通常着信音量」の機能が設けられている。着信音量の設定は、「通常着信音量」の機能を選択し、さらに、具体的な音量の設定を行うメニューに遷移してから可能になる。
【０００５】
なお、図８および図９では、表示画面１の一画面に全部の機能２を表示しないで、アイコン４およびアイコン５をそれぞれ表示するようにしている。図８に示すアイコン４は、携帯電話機器にジョグダイヤルなどとして設けられる下方向を示すキーを操作すれば、画面が下方にスクロールすることを示している。下方向キーの操作によって、表示画面１の１番上に表示されている項目２である「ライブラリ」が上縁から消失し、図９に示すように表示が変わる。図９では、表示画面１の１番下に「８」の「音関連機能」が付加される。また、図９では、図８で下方向を示すアイコン４の代りに、上方向を示すアイコン５を表示している。また「音関連機能」よりも下方に、さらに選択可能な機能があれば、図９でも図８の下向き矢印のアイコン４も表示し、さらにスクロールを続けることがかのうであると表示することもできる。
【０００６】
【発明が解決しようとする課題】
携帯電話機器では、多くの機能が備えられており、しかも表示装置や入力装置には携帯性に基づく制約があるので、階層構造のメニュー機能が備えられる。前述のようなメニューの構成では、「自局電話番号」は一操作で表示可能であるけれども、「通常着信音量の設定」などは、複数回の操作が必要となる。
【０００７】
一般に、メニュー機能では、操作頻度に応じて機能を配置する階層の深さなどを調整する。しかし、ユーザによって機能を利用する頻度は異なり、また、同一のユーザでも、使いはじめは使用する機能が全体の機能の一部に限られ、習熟するに従って使用する機能の数が増える。さらに、自在に使いこなす精通段階になると、特定の機能しか使用しなくなったりする。ある程度習熟すれば、目的の機能を選択するまで操作を間違えることはなくなるけれども、慣れるまでは、メニュー機能の操作を間違えることが多い。また、メニュー機能が複雑に階層化されていると、どの段階に使用したい機能があるかわからず、何回か操作してからしか目的の機能に到達することができないという煩雑さが避けられない。このとき、階層構造では、ある階層の枝を表示している状態から他の枝を表示する状態に移行するために、一旦上位の階層に戻り、改めて他の枝に入って機能を探す必要があり、階層を戻る操作が特に煩雑になる。なお、インターネットのＷｅｂページのブラウザなどでは、ホームページに戻る機能が設けられている。しかし、ホームページから複数段階を経たページでは、他のページに移行するのに、煩雑な複数段階の操作を繰返さなければならない。
【０００８】
また近年の携帯電話機器は、インターネット、ゲーム、着信メロディ、撮像など、機能が増加する傾向にある。操作キーなどは限られているので、メニュー項目の増加は必然であり、いっそう階層の複雑化が予想され、ユーザにとって欲しい機能がどこにあるかがますます判らなくなるおそれがある。
【０００９】
図８や図９に示すように、アイコン４，５などの表示で、表示画面１に表示されていない機能２があることを通知することは可能である。しかし、どのような機能２があるかについては、実際に表示してみないと判らない。多くの機能２を表示するようにすると、選択キー割当て３として割当て可能な操作キーが不足し、同じキーを表示状態に応じて異なる機能２に割当てる必要などが生じ、慣れるとかえって紛らわしくなってしまう。
【００１０】
携帯電話機器に比較して大きな表示画面１を使用する情報処理装置などでも、１画面に表示する項目の数が多くなると、必要な項目を探す負担が増加してしまう。
【００１１】
本発明の目的は、項目を選択する操作の負担を軽減することが可能な、メニュー機能を備える電子機器を提供することである。
【００１２】
【課題を解決するための手段】
本発明は、表示装置と入力装置とを有し、表示装置に選択可能な項目をメニュー形式の画面で一覧表示し、入力装置への操作入力で選択される項目に応じた動作を行うメニュー機能付電子機器において、表示装置に表示する項目の数を予め定める数以下に制限する表示項目制限手段と、メニュー形式で選択の対象となる全項目を複数段階で階層化し、少なくとも一つの段階の階層では該階層に属する項目を複数の画面に分割し、各画面では該画面に属する項目、および他の画面に遷移するための項目を、該他の画面に遷移するための項目を前記画面に属する項目の右側および左側の位置に配置して、表示項目制限手段によって制限される項目の数の範囲内で表示装置に表示するように制御するメニュー表示制御手段とを含むことを特徴とするメニュー機能付電子機器である。
【００１３】
本発明に従えば、メニュー機能付電子機器は、表示装置と入力装置とを有し、表示装置に選択可能な項目をメニュー形式の画面で一覧表示し、入力装置への操作入力で選択される項目に応じた動作を行うために、表示項目制限手段と、メニュー表示制御手段とを含む。表示項目制限手段は、表示装置に表示する項目の数を予め定める数以下に制限するので、表示される項目が多すぎて判りにくくなることを避けることができる。メニュー表示制御手段は、メニュー形式で選択の対象となる全項目を複数段階で階層化し、少なくとも一つの段階の階層ではその階層に属する項目を複数の画面に分割し、各画面ではその画面に属する項目、および他の画面に遷移するための項目を、該他の画面に遷移するための項目を前記画面に属する項目の右側および左側の位置に配置して、表示項目制限手段によって制限される項目の数の範囲内で表示装置に表示するように制御する。同一の階層では、複数の画面で項目が表示され、直接選択の対象となる項目と、他の画面に遷移する項目とが表示されるので、項目の選択を判りやすく行うことができる。同一の階層で他の画面に属する項目を選択するときに、画面間の遷移を行えば選択が可能となり、一旦上位の階層に戻る必要はないので、選択操作の煩雑さを避けて、項目を選択する操作の負担を軽減することができる。
【００１４】
また本発明で、前記メニュー表示制御手段は、前記少なくとも一つの階層に属する項目を、該項目によって表される動作の関連性に応じて前記複数の画面に分割し、前記他の画面に遷移するための項目として、該動作の関連性に対応する表示を行うように制御することを特徴とする。
【００１５】
本発明に従えば、同一の階層に属する複数の項目を、各項目によって表される動作の関連性に応じて複数のグループに分割し、グループ毎に画面で表示する。一つの画面を表示する際には、他の画面に遷移するための項目を、その項目の動作の関連性に対応するように表示するので、表示している画面に目的の項目がないときに、どの画面に遷移すればよいかを判りやすく表示することができる。
【００１６】
また本発明で、前記メニュー表示制御手段は、前記階層に属する複数の画面のうちの少なくとも一つの画面に、予め定める階層の複数の画面のうちの一つに遷移するための項目を表示するように制御することを特徴とする。
【００１７】
本発明に従えば、基本画面など、予め定める階層の特定の画面にはどの段階の階層からでも遷移することができるので、複数段階の階層をたどっても目的の項目に至らないときなどに、項目の探索をやり直すことができる。
【００１８】
また本発明は、携帯電話機器としての機能をさらに備えることを特徴とする。本発明に従えば、表示装置や入力装置に制限がある携帯電話機器で、機能が増加してメニューが複雑化しても、ユーザにとって判りやすい操作を可能として、操作の負担を軽減することができる。
【００１９】
さらに本発明は、コンピュータを前述のいずれかに記載のメニュー機能を備える電子機器として動作させるプログラムである。
【００２０】
本発明に従えば、アプリケーションプログラムなどで、コンピュータを、多くの項目を選択するためのメニュー機能が判りやすく、ユーザの操作負担が軽減されるメニュー機能付き電子機器として動作させることができる。
【００２１】
さらに本発明は、コンピュータを前述のいずれかに記載のメニュー機能を備える電子機器として動作させるプログラムを記録したコンピュータ読取り可能な記録媒体である。
【００２２】
本発明に従えば、コンピュータにプログラムを読取らせて、多くの項目を選択するためのメニュー機能が判りやすく、ユーザの操作負担が軽減されるメニュー機能付き電子機器として動作させることができる。
【００２３】
【発明の実施の形態】
図１は、（ａ）で、本発明の実施の一形態であるメニュー機能付電子機器として、携帯電話機器９の概略的なシステム構成を示す。本実施形態の携帯電話機器９は、無線電話装置１０、入力装置１１、および出力装置１２を含む。入力装置１１には、０〜９の数字を表すテンキー、左と右とを示す方向キー、メニュー表示を指示するＭＥＮＵキーおよび操作の取消を指示するキャンセルキーなどを含むＫＥＹ入力部１３が備えられる。出力装置１２には、液晶表示装置（ＬＣＤ）によるＬＣＤ表示部１４などの画像表示装置が備えられる。無線電話装置１０には、全体の制御を行う制御部１５が含まれる。制御部１５には、ＬＣＤ表示部１４の制御を行うＬＣＤ制御部１６と、ＫＥＹ入力部１３の制御を行うＫＥＹ制御部１７とが含まれる。無線電話装置１０は、さらに通信制御部１８とＭＥＮＵ状態管理部１９とを含む。通信制御部１８は、アンテナや高周波回路などを備え、無線電波を介する電話通信の制御を行う。このような入力装置１１、出力装置１２、制御部１５、および通信制御部１８を含む構成は、携帯電話機器９として従来から一般的なものである。
【００２４】
ＫＥＹ入力部１３には、本実施形態で使用するキーのみ示している。本実施形態では、キーを主な入力装置１１としているけれども、ジョグダイヤルや音声認識、タッチパネルなどを用いて入力を行うようにすることもできる。出力装置１２も、ＬＣＤ表示部１４ばかりではなく、発光ダイオード（ＬＥＤ）やプロジェクタ、ホログラフィなどによる表示を行うようにすることもできる。
【００２５】
本実施形態の携帯電話機器９では、ＭＥＮＵ状態管理部１９で、ＬＣＤ表示部１４に表示するメニュー機能の管理を行う。ＭＥＮＵ状態管理部１９は、表示項目制限手段として、予め設定される状態遷移表２０が備える。状態遷移表２０は、メニューとして表示する項目の数を制限し、ユーザにとって見易い表示を行わせる。ＬＣＤ制御部１６は、メニュー表示制御手段として、状態遷移表２０に従って、ＬＣＤ表示部１４で表示するメニュー画面の状態遷移を行うように制御する。ＫＥＹ制御部１７は、ＬＣＤ表示部１４で表示されるメニューの状態に従って、ＫＥＹ入力部１３からの信号を処理する。
【００２６】
図１（ｂ）は、状態遷移表２０に従うメニュー画面の状態遷移の概要を示す。本実施形態では、携帯電話機器９として有する複数の機能の選択を、多段階の階層化を施したメニュー形式で、機能を表す項目を表示して行う。本実施形態の階層構造では、第１段階の同一階層を、基本機能メニュー２１に属する機能、音関連メニュー２２に属する機能、および表示関連メニュー２３に属する機能に分けて、それぞれ異なる画面に表示する。ただし、基本機能メニュー２１には、音関連メニュー２２および表示関連メニュー２３に遷移する機能を表す項目も表示する。同様に、音関連メニュー２２には、表示関連メニュー２３および基本機能メニュー２１に遷移する機能を表す項目も表示し、表示関連メニュー２３には、基本機能メニュー２１および音関連メニュー２２に遷移する機能を表す項目も表示する。
【００２７】
図２は、図１の実施形態でのメニュー表示動作を示す。ＳＴＡＲＴでは、ＭＥＮＵ機能が表示されていない状態を想定する。動作開始後、ステップｓ１では、ＫＥＹ入力部１３へのキー入力があるか否かを判断し、キー入力がなければ、サイドステップｓ１でキー入力の判断をして、キー入力があるまで待つ。ステップｓ１でキー入力があるときは、ステップｓ２でＭＥＮＵキーが押されたか否かを判断する。各キーは、押されるとそれぞれ固有のコードを表す信号を発生し、ＫＥＹ制御部１７はコードに応じてキーの種類を判断することができる。ステップｓ２で、押されたキーがＭＥＮＵキーではないと判断されるときは、ステップｓ３で、入力されたキーに対応する処理を行い、ステップｓ１に戻る。
【００２８】
ステップｓ２で、ＭＥＮＵキーが押されたと判断されるときは、ステップｓ４からＭＥＮＵ機能を開始する。ステップｓ５では、ＬＣＤ制御部１６が図１（ａ）の状態遷移表２０に従って、ＬＣＤ表示部１４に、一つの画面でメニューを表示する。ＭＥＮＵキーが押された直後には、図１（ｂ）に示す基本機能メニュー２１が表示される。ステップｓ６では、キー入力を待つ。ステップｓ６でキー入力があれば、ＫＥＹ制御部１７はステップｓ７で状態遷移表２０を読み出し、キーによって選択される項目に対応する機能を実行する。本実施形態では、後述するように、ＭＥＮＵ機能の実行でＭＥＮＵ機能を終了させる場合があり、ステップｓ８ではそのようなキーが操作されたか否かを判断する。ステップｓ８で、ＭＥＮＵ終了と判断されるときは、ステップｓ３からステップｓ１に戻る。ステップｓ８でＭＥＮＵ終了でないと判断されるときは、ステップｓ９で次の階層の表示または次の画面の表示など、次の状態に遷移し、ステップｓ５に戻る。
【００２９】
図３、図４、図５および図６は、本実施形態での基本機能メニュー２１、音関連メニュー２２、表示関連メニュー２３および下位階層メニューの表示例をそれぞれ示す。図１（ｂ）に示すように、本実施形態では、基本機能メニュー２１、音関連メニュー２２および表示関連メニュー２３は、同一階層に属し、異なる表示画面３１として表示される。図３、図４および図５に示す各表示画面３１には、複数の機能３２に対応する項目が表示され、各機能に対して割当てられる選択キー割当て３３もそれぞれ表示される。同一階層に他の表示画面３１が存在していることは、他画面遷移表示３４，３５によって表示される。図３、図４および図５で左側の他画面遷移表示３４を選択することによって、基本機能メニュー２１から表示関連メニュー２３へ、音関連メニュー２２から基本機能メニュー２１へ、および表示関連メニュー２３から音関連メニュー２２への遷移を選択することができる。図３、図４および図５で右側の他画面遷移表示３５を選択することによって、基本機能メニュー２１から音関連メニュー２２へ、音関連メニュー２２から表示関連メニュー２３へ、および表示関連メニュー２３から基本機能メニュー２１への遷移を選択することができる。基本機能メニュー２１、音関連メニュー２２および表示関連メニュー２３への遷移であることは、他画面遷移表示３４，３５でそれぞれのメニューに関連する機能を、「基本機能」、「音関連機能」および「表示関連機能」と表示しているので、ユーザは容易に理解することができる。
【００３０】
図６は、（ａ）で図４の音関連メニュー２２でテンキーの「１」によって「通常着信」を選択したときに表示される１段階下位の階層のメニューを示し、（ｂ）でさらに下位の階層のメニューを示す。ここで、図６（ｂ）は、図６（ａ）でテンキーの「２」で「着信音量」を選択したときの表示状態を示し、音量１から音量５までの５段階の音量か、無音を設定する着信音量設定メニューの表示画面を示す。ユーザは、変更したい音量を選択して設定し、設定後ＭＥＮＵ機能を終了させることができる。
【００３１】
図７は、図１（ａ）の状態遷移表２０の内容を示す。第１段階の階層には、前述のように、基本機能メニュー２１、音関連メニュー２２および表示関連メニュー２３が状態１、状態２および状態３としてそれぞれ含まれる。図３に示すように、基本機能メニュー２１に対応する状態１の下位の階層のうち、テンキーの「１」で選択される状態１−１は、「ライブラリ」を表す。図４に示すように、音関連メニュー２２でテンキーの「１」を入力すれば、状態２の下位の階層の状態２−１として、「通常通信」が選択される。さらに、図６（ａ）に示すように、通常通信のメニューでテンキーの「２」を入力すれば、さらに下位の状態２−１−２に移行して、「着信音量」設定のメニュー表示の状態となる。
【００３２】
したがって、携帯電話機器９のユーザが通常着信の音量を変更したい場合、まずＭＥＮＵキーを押して図３の表示画面３１による基本機能メニュー３１を表示させ、右キーを押して図４に示す音関連メニュー２２を表示させる。音関連メニュー２２からは、テンキーの「１」で図６（ａ）の通常着信メニューを表示させ、テンキーの「２」を押して図６（ｂ）の着信音量設定のメニューを表示させる。なお、図７に示すように、たとえば図６（ｂ）で選択キー割当て３３として表示されているテンキーを操作すれば、対応する設定を行ってＭＥＮＵ機能を終了させることができる。また、「キャンセル」キーを操作すれば、常に上位の階層に戻り、ＭＥＮＵキーを操作すれば、常に状態１の基本機能メニュー２１に戻る。ただし、同一階層内では、基本機能メニュー２１に戻らなくても、たとえば音関連メニュー２２と表示関連メニュー２３との間の直接の遷移も可能であり、操作の煩雑さを避けることができる。
【００３３】
以上説明した携帯電話機器９は、メニュー処理を機能させるためのプログラムで実現される。なお、同様のメニュー処理は、従来の技術で示した各種のメニュー機能付電子機器でも同様に実施することができる。
【００３４】
発明の対象とするのは、このプログラムそのものであってもよいし、このプログラムをコンピュータで読取り可能な記録媒体に格納されている記録媒体であってもよい。
【００３５】
まず、本発明では、この記録媒体として、図１に示されているマイクロコンピュータを含む制御部１５や、一般的なパーソナルコンピュータやＰＤＡなどのマイクロコンピュータで処理が行われるために必要な図示していないメモリ、例えばＲＯＭのようなものがプログラムメディアであってもよいし、また図示していないが外部記憶装置としてプログラム読み取り装置が設けられ、そこに記録媒体を挿入することで読み取り可能なプログラムメディアであってもよい。いずれの場合においても、格納されているプログラムはマイクロコンピュータがアクセスして実行させる構成であってもよいし、あるいは何れの場合もプログラムを読み出し、読み出されたプログラムは、マイクロコンピュータの図示されていないプログラム記憶エリアにロードされて、そのプログラムが実行される方式であってもよい。このロード用のプログラムは予め本体装置に格納されているものとする。
【００３６】
ここに上記プログラムメディアは、本体と分離可能に構成される記録媒体であり、磁気テープやカセットテープ等のテープ系、ＦＤ（フレキシブルディスク）やＨＤ（ハードディスク）等の磁気ディスクやＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムを担持する媒体であってもよい。
【００３７】
また、本発明においてはインターネットを含む通信ネットワークと接続可能なシステム構成として、通信ネットワークからプログラムをダウンロードするように流動的にプログラムを担持する媒体であってもよい。
【００３８】
尚、記録媒体に格納されている内容としてはプログラムに限定されず、データであってもよい。
【００３９】
次に、本発明では、プログラム自体として、前述のマイクロコンピュータで実行される処理そのものであってもよいし、あるいは、インターネットを含む通信ネットワークとアクセスすることで取り込める、あるいは取り込めたものであってもよいし、こちらから送り出すものであってもよい。さらには、この取り込んだプログラムに基づいて、上記携帯電話機器９あるいは他の情報処理装置内で処理された結果、つまり生成されたものであってもよい。あるいは、こちらから送り出す際に上記携帯電話機器９あるいは情報処理装置内で処理された結果、つまり生成されたものであってもよい。
尚、これらのものはプログラムに限定されず、データであってもよい。
【００４０】
【発明の効果】
以上のように本発明によれば、メニュー形式で選択の対象となる全項目を複数段階で階層化し、少なくとも一つの段階の階層では、複数の画面で項目が表示され、直接選択の対象となる項目と、他の画面に遷移する項目とが表示されるので、項目の選択を判りやすく行うことができる。同一の階層で他の画面に属する項目を選択するときに、画面間の遷移を行えば選択が可能となり、項目を選択する操作の負担を軽減することができる。
【００４１】
また本発明によれば、同一の階層に属する複数の項目を、複数の画面に分けて表示し、一つの画面を表示する際には、他の画面に遷移するための項目を、その項目の動作の関連性に対応するように表示するので、どの画面に遷移すればよいかを判りやすく表示することができる。
【００４２】
また本発明によれば、基本画面など、予め定める階層の特定の画面にはどの段階の階層からでも遷移することができるので、項目の探索をやり直すことなどを判りやすく行うことができる。
【００４３】
また本発明によれば、表示装置や入力装置に制限がある携帯電話機器で、ユーザによる操作の負担を軽減することができる。
【００４４】
さらに本発明によれば、コンピュータを、ユーザの操作負担が軽減されるメニュー機能付き電子機器として動作させることができる。
【００４５】
さらに本発明によれば、コンピュータにプログラムを読取らせて、ユーザの操作負担が軽減されるメニュー機能付き電子機器として動作させることができる。
【図面の簡単な説明】
【図１】本発明の実施の一形態である携帯電話機器９の概略的なシステム構成を示すブロック図およびメニュー表示の状態遷移図である。
【図２】図１の携帯電話機器９でのメニュー機能の動作を示すフローチャートである。
【図３】図１の携帯電話機器９で表示される基本機能メニュー２１を示す図である。
【図４】図１の携帯電話機器９で表示される音関連メニュー２２を示す図である。
【図５】図１の携帯電話機器９で表示される表示関連メニュー２３を示す図である。
【図６】図４の音関連メニュー２２の下位の階層のメニューを示す図である。
【図７】図１の状態遷移表２０の内容を示す図表である。
【図８】従来からの携帯電話機器でのメニュー表示を示す図である。
【図９】従来からの携帯電話機器でのメニュー表示を示す図である。
【符号の説明】
９  携帯電話機器
１０  無線電話装置
１１  入力装置
１２  出力装置
１３  ＫＥＹ入力部
１４  ＬＣＤ表示部
１５  制御部
１６  ＬＣＤ制御部
１７  ＫＥＹ制御部
１８  通信制御部
１９  ＭＥＮＵ状態管理部
２０  状態遷移表
２１  基本機能メニュー
２２  音関連メニュー
２３  表示関連メニュー
３１  表示画面
３２  機能
３３  選択キー割当て
３４，３５  他画面遷移表示
【図１】
0003905742.tif 000002
【図２】
0003905742.tif 000003
【図３】
0003905742.tif 000004
【図４】
0003905742.tif 000005
【図５】
0003905742.tif 000006
【図６】
0003905742.tif 000007
【図７】
0003905742.tif 000008
【図８】
0003905742.tif 000009
【図９】
0003905742.tif 000010